(57)【要約】【課題】  各操作部を効率的に集中配置してコンパクト化が可能なヒーターコントロールパネルの操作部レイアウト構造を提案する。  【解決手段】    表示部５１ａ、５２ａ、５３ａを備えた第１、第２、第３の操作ノブ５１、５２、５３を設け、第１、第２の操作ノブ５１、５２は台形状仮想線５８の長辺５８ａ内に横に並べて配設すると共に、第３の操作ノブ５３は第１、第２の操作ノブ５１、５２の中程に対応する台形状仮想線５８の短辺５８ｂ内に配設し、さらに、第３の操作ノブ５３の両側にはエアコンスイッチの操作ボタン５４とリアデフスイッチの操作ボタン５５を配設すると共に、これら操作ボタン５４、５５の下位置にはスイッチの表示部５４ａ、５５ａを設け、上記した操作ノブ５１、５２、５３と操作ボタン５４、５５を台形状仮想線５８内に配設した構成としてある。【選択図】図２
2016060400.tif 000002
【特許請求の範囲】
【請求項１】
周囲に円弧状の表示部を備えた第１、第２、第３のダイヤル操作部を設け、
前記第１、第２のダイヤル操作部は台形状仮想線の長辺に沿って横に並べて配設すると共に、前記第３のダイヤル操作部は前記第１、第２のダイヤル操作部の中程に対応する前記台形状仮想線の短辺側に配設し、
さらに、前記第３のダイヤル操作部の両側各々にはスイッチ操作部を配設すると共に、これらスイッチ操作部の近くには、スイッチの表示部を設け、
上記した第１、第２、第３のダイヤル操作部、上記した２つのスイッチ操作部を台形状仮想線内に配設したことを特徴とするヒーターコントロールパネルの操作部レイアウト構造。
【請求項２】
請求項１に記載した操作部レイアウト構造において、
前記第１、第２のダイヤル操作部は水平位置から左右回動方向に所定角度で操作回動可能とすると共に、これら第１、第２のダイヤル操作部の表示部は対向配置し、
前記第３のダイヤル操作部は垂直位置から左右回動方向に所定角度で操作回動可能とし、このダイヤル操作部の表示部は前記第１、第２のダイヤル操作部の表示部の中間に対向配置することを特徴とするヒーターコントロールパネルの操作部レイアウト構造。
【請求項３】
請求項１又は２の操作部レイアウト構造において、
前記第１、第２、第３のダイヤル操作部の各表示部の中央部に、これら各々表示部を照明する一つの光源を備えたことを特徴とするヒーターコントロールパネルの操作部レイアウト構造。
【請求項４】
請求項１〜３のいずれかに記載した操作部レイアウト構造において、
上記した台形状仮想線の短辺外側には、前記した２つのスイッチ操作部の表示部と共に設けた２つのレバー表示部間でスライド可能とした操作レバーを配設したことを特徴とするヒーターコントロールパネルの操作部レイアウト構造。
【発明の詳細な説明】
【技術分野】
【０００１】
本発明は、車両用ヒーターコントロールパネルの操作部レイアウト構造に関する。
【背景技術】
【０００２】
車両用のインストルメント・パネルには、スピードメータ、燃料計、水温計、距離計、ヒーターコントロールパネルなど車両の走行に必要な情報を示す多くの計器類が配置されている。
そして、ヒーターコントロールパネルには、操作部としてダイヤル操作部、プッシュスイッチ、スライド操作レバーなどが所定間隔をおいて分離配置されているため、特に、小型自動車などではヒーターコントロールパネルのコンパクト化が要求されている。
【０００３】
図８、図９に示すように、ヒーターコントロールパネルはダイヤル操作部等と共に空調用コントロール操作装置として構成されている。（第１従来例）
図示する如く、この空調用コントロール操作装置は、風向調整用の操作ノブ１１、風量調整用の操作ノブ１２、温度調整用の操作ノブ１３がダイヤル操作部としてヒーターコントロールパネル１０に回動可能に設けられ、また、リアウインドの熱線に通電するリアデフスイッチ、エアコンのＯＮ／ＯＦＦを切り換えるエアコンスイッチ、内気環境と外気導入を切り換える内外気切換スイッチの各スイッチボタン１４、１５、１６が設けられている。
【０００４】
また、操作ノブ１１のギアシャフト１７がベース１８に設けられた軸受部１９によって軸受けされている。
そして、このギアシャフト１７にはかさ歯車１７ａが設けられ、この歯車１７ａがギアレバー２０のギア部２０ａに噛合している。
これより、操作ノブ１１の回動操作にしたがってギアレバー２０が旋回し、コントロールケーブル２１のインナーケーブル２１ａを駆動するため、空調ユニット（図示省略）が動作制御される。
なお、ギアレバー２０はベース１８に設けた筒状軸受部２２によって回動可能に軸受けされ、また、コントロールケーブル２１の一端がベース１８に設けられたクランプ部２３によって固着されている。  
【０００５】
操作ノブ１３の連動機構についても、上記同様に、ギアシャフト２４、かさ歯車２４ａ、ギア部２５ａを備えたギアレバー２５、コントロールケーブル（インナーケーブル２６ａ）２６を備えている。
なお。２７、２８は軸受部、２９はクランプ部である。
また、操作ノブ１２は、ロータリースイッチなどからなるブロワモータスイッチ３０を動作させ空調ユニットの風量を調整するものである。
【０００６】
一方、空調用コントロール操作装置としては、図１０に示したように、風向調整用の操作ノブ３１と風量調整用の操作ノブ３２とを横に並べて配設し、温度調整用の操作ノブ３３については上記操作ノブ３１、３２の中間のやや下方位置に設けることで、ヒーターコントロールパネル３４のコンパクト化を図ったものがある。（第２従来例）
また、リアデフスイッチ、エアコンスイッチ、内外気切換スイッチの各スイッチボタ３５、３６、３７、３８が操作ノブ３１、３２の下方位置に配設されている。
【先行技術文献】
【特許文献】
【０００７】
【特許文献１】特開２０００―２６８６５７号公報
【発明の概要】
【発明が解決しようとする課題】
【０００８】
第１従来例の空調用コントロール操作装置は、操作ノブ１１、１２、１３を横一列にしてヒーターコントロールパネル１０に配設し、各スイッチボタン１４、１５、１６を操作ノブ１２の真下に配設した構成となっているため、ヒーターコントロールパネルのコンパクト化には必ずしも適していないし、また、効率的な各部品配置の構成ともなっていない。
【０００９】
さらに、第１従来例の空調用コントロール操作装置は、操作ノブ１１、１２、１３には操作位置を示す表示部１１ａ、１２ａ、１３ａが備えられ、これら表示部には光照明によって光学的に浮き出る表示マークが形成されている。
したがって、この空調用コントロール操作装置の場合は、表示部１１ａ、１２ａ、１３ａを照明する複数の光源が必要となる。
その上、各スイッチボタン１４、１５、１６の表示部を照明する光源も備えることになる。
【００１０】
第２従来例の空調用コントロール操作装置についても同様に、各操作ノブ３１、３２、３３の各表示部３１ａ、３２ａ、３３ａの表示マークを照明する複数の光源と、各スイッチボタン３５、３６、３７、３８の表示部を照明する光源とを備える必要がある
【００１１】
他方、特に最近の小型自動車では、運転席のインストルメントパネルに設けた一つのパネル上に、シフトレバーと空調用コントロール操作装置とが配置されるなど、部品配置の効率化と、可能なるかぎり少ない光源で照明ができる照明構造が要求されている。
【００１２】
そこで、上記実情にかんがみ、本発明では、効率的に集中して部品配置ができ、コンパクト化が可能なヒーターコントロールパネルの操作部レイアウト構造を提案することを目的とする。
【課題を解決するための手段】
【００１３】
上記した目的を達成するため、本発明では第１の発明として、周囲に円弧状の表示部を備えた第１、第２、第３のダイヤル操作部を設け、前記第１、第２のダイヤル操作部は台形状仮想線の長辺に沿って横に並べて配設すると共に、前記第３のダイヤル操作部は前記第１、第２のダイヤル操作部の中程に対応する前記台形状仮想線の短辺側に配設し、さらに、前記第３のダイヤル操作部の両側各々にはスイッチ操作部を配設すると共に、これらスイッチ操作部の近くには、スイッチの表示部を設け、上記した第１、第２、第３のダイヤル操作部、上記した２つのスイッチ操作部を台形状仮想線内に配設したことを特徴とするヒーターコントロールパネルの操作部レイアウト構造を提案する。
【００１４】
第２の発明としては、上記した第１の発明の操作部レイアウト構造において、  前記第１、第２のダイヤル操作部は水平位置から左右回動方向に所定角度で操作回動可能とすると共に、これら第１、第２のダイヤル操作部の表示部は対向配置し、前記第３のダイヤル操作部は垂直位置から左右回動方向に所定角度で操作回動可能とし、このダイヤル操作部の表示部は前記第１、第２のダイヤル操作部の表示部の中間に対向配置することを特徴とするヒーターコントロールパネルの操作部レイアウト構造を提案する。
【００１５】
第３の発明としては、上記した第１又は第２の発明の操作部レイアウト構造において、前記第１、第２、第３のダイヤル操作部の各表示部の中央部に、これら各々表示部を照明する一つの光源を備えたことを特徴とするヒーターコントロールパネルの操作部レイアウト構造を提案する。
【００１６】
第４の発明としては、上記した第１〜第３の発明のいずれかの操作部レイアウト構造において、上記した台形状仮想線の短辺外側には、前記した２つのスイッチ操作部の表示部と共に設けた２つのレバー表示部間でスライド可能とした操作レバーを配設したことを特徴とするヒーターコントロールパネルの操作部レイアウト構造を提案する。
【発明の効果】
【００１７】
第１の発明によれば、本発明では、第１、第２、第３のダイヤル操作部と２つのスイッチ操作部とを台形状仮想線内に配設したレイアウト構造としたので、操作部を集約配置することができ、ヒーターコントロールパネルのコンパクト化が可能になるレイアウト構造となる。
【００１８】
第２の発明によれば、第１のダイヤル操作部の表示部、第２のダイヤル操作部の表示部、第３のダイヤル操作部の表示部が近い配置となるので、これらの表示部の間に光源を備えれば各表示部を共通に照明することができるから、少ない光源で効率的に照明できる操作部のレイアウト構造となる。
【００１９】
第３の発明は、第１のダイヤル操作部の表示部と、第２のダイヤル操作部の表示部と、第３のダイヤル操作部の各表示部の中央部に一つの光源を設け、これら３つの表示部を一つの光源で共通に照明できる構成としたレイアウト構造としてある。
【００２０】
第４の発明は、スイッチ操作部の表示部と共に２つのレバー表示部を設け、これらレバー表示部の範囲で操作する操作レバーを、台形状仮想線の短辺外側に設けてヒーターコントロールパネルのコンパクト化を図っている。
【図面の簡単な説明】
【００２１】
【図１】本発明の一実施形態とした示した空調用コントロール操作装置の正面図である。
【図２】図１に示す空調用コントロール操作装置の一部拡大正面図である。
【図３】図１に示す空調用コントロール操作装置の一部分を分解して示した斜視図である。
【図４】図２上のＡ−Ａ線断面図である。
【図５】上記した空調用コントロール操作装置の変形例を示した図２同様の一部拡大正面図である。
【図６】上記した空調用コントロール操作装置の他の変形例を示した一部拡大正面図である
【図７】第１従来例として示した空調用コントロール操作装置の正面図である。
【図８】図７に示す空調用コントロール操作装置の平面図である。
【図９】第２従来例として示した空調用コントロール操作装置の正面図である。
【発明を実施するための形態】
【００２２】
次に本発明の実施形態について図面に沿って説明する。
図１は、ヒーターコントロールパネルにダイヤル操作部やスイッチ操作部を組付けて構成した空調用コントロール操作装置の正面図を示しており、また、この実施形態ではシフトレバーを同じパネル上に設けた空調用コントロール操作装置の実施形態を示す。
【００２３】
すなわち、風向調整用の第１の操作ノブ（第１のダイヤル操作部）５１、温度調整用の第２の操作ノブ（第２のダイヤル操作部）５２、風量調整用の第３の操作ノブ（第３のダイヤル操作部）５３と、エアコンスイッチの操作ボタン（スイッチ操作部）５４、リアデフスイッチの操作ボタン（スイッチ操作部）５５、内外気切換レバーの操作ノブ５６とをヒーターコントロールパネル５０の前パネル５０ａに組付けた空調用コントロール操作装置となっており、また、この前パネル５０ａにはシフトレバー５７が備えてある。
【００２４】
そして、この空調用コントロール操作装置については、図２に示す如く、第１、第２、第３の操作ノブ５１、５２、５３と、エアコンスイッチの操作ボタン５４及びリアデフスイッチの操作ボタン５５とを台形状仮想線５８内に配設するレイアウト構造としてヒーターコントロールパネル５０のコンパクト化を図っている。
【００２５】
具体的には、第１、第２の操作ノブ５１、５２については台形状仮想線５８の長辺５８ａに沿って横並びに配設し、第３の操作ノブ５３は第１、第２の操作ノブ５１、５２の中間下方に対応する台形状仮想線５８の短辺５８ｂ側に配設してあり、また、エアコンスイッチの操作ボタン５４とリアデフスイッチの操作ボタン５５については第３の操作ノブ５３の両側位置に配設してある。
【００２６】
他方、この空調用コントロール操作装置では、第１、第２の操作ノブ５１、５２が水平方向から所定角度θ１，θ２（例えば、θ１＝θ２＝１２０°）の範囲で左右方向に回動操作できる構成としてある。
例えば、左右方向の回動範囲２θ１＝２θ２＝２４０°となっている。
そして、これら操作ノブ５１、５２の回動操作範囲に合わせてその周囲に設けた表示部５１ａ、５２ａはこれら操作ノブの中間で対向するように配置してある。
【００２７】
また、第３の操作ノブ５３は垂直方向から所定角度θ３（例えば、θ３＝６０°）の範囲で左右方向に回動操作できる構成としてある。
例えば、左右方向の回動範囲２θ３＝１２０°となっている。
そして、第３の操作ノブ５３の回動操作範囲に合わせてその周囲に設けた表示部５３ａは第１、第２の操作ノブ５１、５２の中間に向かって対向する配置としてある。
【００２８】
各表示部５１ａ、５２ａ、５３ａを上記のように配置した本実施形態の空調用コントロール操作装置では、これら表示部５１ａ、５２ａ、５３ａの各々の中央部に相当する後パネル５０ｂの固定部５９（ヒーターコントロールパネル５０の後パネル５０ｂ、図４参照）に一つの光源６０を設け、一つの光源６０によって各表示部５１ａ、５２ａ、５３ａを共通に照明するようになっている。
すなわち、このように構成することによって、少ない光源で各表示部を有効に照明することができるレイアウト構造となる。
なお、各表示部５１ａ、５２ａ、５３ａには、操作ノブの回動操作位置を示す表示マーク５１ｂ、５２ｂ、５３ｂが設けてある。
【００２９】
さらに、エアコンスイッチの操作ノブ５４とリアデフスイッチの操作ノブ５５の下位置には、スイッチの表示部５４ａ、５５aが配置してある。
すなわち、表示部５４ａにはエアコンのＯＮ／ＯＦＦ切り換えを示す表示マーク５４ｂを設け、表示部５５ａにはリアデフマーク５５ｂが設けてある。
そして、これら表示部５４ａ、５５ａには表示マーク５４ｂ、５５ｂの他に内外気切り換えマーク５４ｃ、５５ｃが設けてある。
【００３０】
また、台形状仮想線５８の短辺５８ｂの下位置に相当する前パネル５０ａには、上記した表示マーク５４ｃ、５５ｃの範囲でスライドさせて内外気を切り換える操作レバーの操作ノブ５６が設けてある。
【００３１】
上記した各表示部５１ａ、５２ａ、５３ａは、非透明のフイルムなどに、文字、記号、図形、目盛、色彩などの表示マーク５１ｂ、５２ｂ、５３ｂを透明または半透明として抜き取った非透明のフイルム材で形成してあり、特に、本実施形態では、図３に示してある通り、これら表示部５１ａ、５２ａ、５３ａを一体形成し、各操作ノブ５１、５２、５３の周囲に貼り付ける構成としてある。
なお、表示部５１ａ、５２ａ、５３ａについては、必ずしも一体形成することなく、別々に形成することもできる。
【００３２】
上記した操作ボタン５４、５５の表示部５４ａ、５５ａについても同様に、記号、図形、色彩などの表示マーク５４ｂ、５５ｂおよび５４ｃ、５５ｃを透明または半透明として抜き取った非透明のフイルム材で形成し、各操作ボタン５４、５５の下位置に貼り付けてある。
【００３３】
また、上記したところの表示マーク５１ｂ、５２ｂ、５３ｂと表示マーク５４ｂ、５４ｃ、５５ｂ、５５ｃが対接する前パネル５０ａ部分には、図３、図４に示すように、光源６０の点灯光を通過させる照明用孔６２を設け、各表示部の表示マーク５１ｂ、５２ｂ、５３ｂおよび５４ｂ、５５ｂ、５４ｃ、５５ｃが光源６０の点灯光によって照明されて光学表示されるようになっている。
【００３４】
なお、表示マーク５１ｂ、５２ｂ、５３ｂは光源６０の点灯光を直接受けて光学表示できるが、表示マーク５４ｂ、５５ｂ、５４ｃ、５５ｃは光源６０との間に第３の操作ノブ５３の軸部などが介在するため、光源６０の点灯光が照射されない場合があるので、このような場合には、後パネル５０ｂに反射面を形成し、光源６０の点灯光をこの反射面で一旦反射させて、その反射光によって各表示マーク５４ｂ、５５ｂ、５４ｃ、５５ｃを照明する構成とする。
【００３５】
また、表示マーク５１ｂ、５２ｂ、５３ｂのうち光源６０の点灯光を直接受光できない部分がある場合にも、上記同様に後パネル５０ｂに反射面を形成し、その反射光によって照明することができる。
なお、上記した表示マーク５１ｂ、５２ｂ、５３ｂ及び５４ｂ、５５ｂ、５４ｃ、５５ｃは、表示部の地色（例えば、黒色）に対しコントラストを設けることで、光源６０の照明がないときでも視認できるようにしてある。
【００３６】
上記した本実施形態の空調用コントロール操作装置は、図３、図４に示すように、第１、第２、第３の操作ノブ５１、５２、５３の連動機構が図７、図８に示す従来例の空調用コントロール操作装置と同様の構成となっている。
すなわち、第１の操作ノブ５１の回動操作がギアシャフト６３のかさ歯車６３ａと、このかさ歯車６３ａによって連動されるギアレバー６４によってコントロールケーブルが制御駆動されるようになっている。
第２の操作ノブ５２の連動機構については図示していないが、上記した操作ノブ５１の連動機構と同様の構成となっている。
第３の操作ノブ５３は、図４に示してある通り、ブロワモータスイッチ６５を制御するものである。
なお、図３、図４において、５４Ｍはエアコンスイッチ、５５Ｍはリアデフスイッチ、５６Ｍは内外気切換レバーを示す。
【００３７】
以上、本発明の一実施形態について説明したが、エアコンスイッチの操作ボタン５４とリアデフスイッチの操作ボタン５５の表示部５４ａ、５５aについては、表示マーク５４ｂ、５５ｂに対して表示マーク５４ｃ、５５ｃを設けた表示部５４ｄ、５５ｄとを別体に形成し、図５にしたように、表示部５４ａ、５５ａをエアコンスイッチの操作ボタン５４とリアデフスイッチの操作ボタン５５の上位置に、表示部５４ｄ、５５ｄをそれらの操作ボタン５４、５５の下位置に配置することができる。
【００３８】
また、本発明を実施する際には、図６に示すように、台形状仮想線５８を上下反転させ、第１の操作ノブ５１と第２の操作ノブ５２とを下方位置で横並びに配設し、これら第１、第２操作ノブ５１、５２の中間の上方位置に第３の操作ノブ５３を配設する構成とすることもできる。
この場合は、内外気切換レバーの操作ノブ５６が台形状仮想線５８の上部位置に配設される。
【００３９】
上記した実施形態より分かるように、本発明は台形状仮想線内に第１、第２、第３の操作ノブと２つのスイッチ操作部とを配設したレイアウト構造とし、また、各操作ノブの表示部とスイッチ操作部の表示部とを少ない光源で照明できる構成としたので、操作部を効果的に集中させた配置構成となり、ヒーターコントロールパネルのコンパクト化が可能になる。
したがって、空調用コントロール操作装置とシフトレバーを備える小型車両のヒーターコントロールパネルには特に有効なものとなる。
【産業上の利用可能性】
【００４０】
車両用の空調用コントロール操作装置として適用することができる。
【符号の説明】
【００４１】
５０  ヒーターコントロールパネル
５０ａ  前パネル
５０ｂ  後パネル
５１  第１の操作ノブ
５２  第２の操作ノブ
５３  第３の操作ノブ
５１ａ、５２ａ、５３ａ  表示部
５１ｂ、５２ｂ、５３ｂ  表示マーク
５４  エアコンスイッチの操作ボタン
５５  リアデフスイッチの操作ボタン
５４ａ、５５ａ  表示部
５４ｂ、５４ｃ、５５ｂ、５５ｃ  表示マーク
５６  内外気切換レバーの操作ノブ
５８  台形状仮想線
６０  光源
６２  照明用孔
【図１】
2016060400.tif 000003
【図２】
2016060400.tif 000004
【図３】
2016060400.tif 000005
【図４】
2016060400.tif 000006
【図５】
2016060400.tif 000007
【図６】
2016060400.tif 000008
【図７】
2016060400.tif 000009
【図８】
2016060400.tif 000010
【図９】
2016060400.tif 000011